(57)【要約】  チューナ（２２）は、指定されたチャネルの放送データを受信する。チャネルサーチ部（１１）は、チューナ（２２）を制御することにより、受信可能なチャネルをサーチし、受信可能なチャネルおよびその選択順序を表わすチャネルマップを作成する。チャネル順序設定部（１２）は、チャネルマップ内のチャネルについて、選択の可否の設定および／または選択順序を変更する。操作入力部（３０）は、ユーザからチャネルの選択操作を受け付ける。チャネル切替部（１３）は、操作入力部（３０）を通じてユーザからチャネルの順送りまたは逆送り操作があると、チャネルマップに従ってチャネルの選択を変更し、チューナ（２２）に選択したチャネルの放送データを受信させる。
2008090610.tif 000002
【特許請求の範囲】
【請求項１】
指定されたチャネルの放送データを受信するチューナと、
前記チューナを制御することにより、受信可能なチャネルをサーチし、受信可能なチャネルおよびその選択順序を表わすチャネルマップを作成するサーチ部と、
前記チャネルマップ内のチャネルについて、選択の可否および／または選択順序の変更を規定した設定情報を作成する設定部と、
ユーザからチャネルの選択操作を受け付ける操作入力部と、
前記操作入力部を通じてユーザからチャネルの順送りまたは逆送り操作があると、前記設定情報に従ってチャネルの選択を変更し、前記チューナに前記選択したチャネルの放送データを受信させる切替部とを備えた放送受信装置。
【請求項２】
前記操作入力部は、ユーザから前記チャネルマップ内の一部のチャネルの選択を無効にする指示、および／または選択可能なチャネルの選択順序を変更する指示を受付け、
前記設定部は、前記ユーザからの指示に従って前記設定情報を作成する、請求の範囲１記載の放送受信装置。
【請求項３】
前記設定部は、前記チャネルマップ内に同一の番組を放送するアナログ放送のチャネルとデジタル放送のチャネルとが混在する場合に、前記デジタル放送のチャネルの選択を不可能に設定し、若しくは前記アナログ放送のチャネルの選択を不可能に設定する、請求の範囲１記載の放送受信装置。
【請求項４】
前記設定部は、前記チャネルマップ内にアナログ放送のチャネルとデジタル放送のチャネルとが混在する場合に、はじめにアナログ放送のチャネルのみを順次選択し、その後デジタル放送のチャネルのみを順次選択する、若しくは、はじめにデジタル放送のチャネルのみを順次選択し、その後アナログ放送のチャネルのみを順次選択するように、前記チャネルマップ内のチャネルの選択順序を変更する、請求の範囲１記載の放送受信装置。
【請求項５】
前記設定部は、前記チャネルマップ内に複数個のサブチャネルを有するデジタル放送のチャネルが存在する場合に、前記チャネルについては、１個のサブチャネルのみへの選択を可能に設定する、請求の範囲１記載の放送受信装置。
【請求項６】
前記放送受信装置は、さらに、
前記チャネルマップ内のチャネルごとの視聴回数を記憶し、あるチャネルの選択後、前記操作入力部を通じて所定時間内に別のチャネルの選択操作が行なわれないときに、前記選択したチャネルを視聴したものとみなし、前記選択したチャネルの視聴回数をインクリメントするカウンタを備え、
前記設定部は、前記カウンタに記憶されているチャネルごとの視聴回数に従って前記設定情報を作成する、請求の範囲１記載の放送受信装置。
【請求項７】
前記設定部は、前記カウンタに記憶されている視聴回数が高いチャネルから順次選択されるように、前記チャネルマップ内のチャネルの選択順序を変更する、請求の範囲６記載の放送受信装置。
【請求項８】
前記放送受信装置は、さらに、
前記チャネルマップ内のチャネルごとに、別のチャネルへの視聴変更回数を記憶し、前記チャネルの選択後、前記操作入力部を通じて所定時間内に別のチャネルの選択操作が行なわれないときに、前記選択されたチャネルを視聴したとみなすカウンタを備え、
前記カウンタは、第１のチャネルの視聴の次に第２のチャネルを視聴したとみなした場合に、前記第１のチャネルにおける前記第２のチャネルへの視聴変更回数をインクリメントし、
前記設定部は、前記カウンタに記憶されている前記各チャネルにおける別のチャネルへの視聴変更聴回数に従って、前記設定情報を作成する、請求の範囲１記載の放送受信装置。
【請求項９】
前記設定部は、前記チャネルマップ内の各チャネルの視聴中において、前記カウンタに記憶されている前記各チャネルにおける視聴変更回数が高いチャネルから順次選択されるように、前記チャネルマップ内のチャネルの選択順序を変更する、請求の範囲８記載の放送受信装置。
【請求項１０】
前記切替部は、前記チューナに前記選択したチャネルの放送データを受信させるとともに、前記設定情報を参照して、前記選択したチャネルの次の選択順序のチャネルの番号または直前の選択順序のチャネルの番号の少なくともいずれかを表示する、請求の範囲１記載の放送受信装置。
【請求項１１】
指定されたチャネルの放送データを受信するチューナと、
前記チューナを制御することにより、受信可能なチャネルをサーチし、受信可能なチャネルおよびその選択順序を表わすチャネルマップを作成するサーチ部と、
前記チャネルマップ内のチャネルについて、選択の可否および／または選択順序の変更を規定した設定情報を作成する設定部と、
ユーザからチャネルの選択操作を受け付ける操作入力部と、
前記操作入力部を通じてユーザからチャネルの順送りまたは逆送り操作があると、前記設定情報に従ってチャネルの選択を変更し、前記選択したチャネルの番号を表示し、前記チューナに前記選択したチャネルの放送データを受信させないようにする切替部とを備えた放送受信装置。
【請求項１２】
前記切替部は、前記チャネルの選択中に、前記操作入力部を通じて所定時間内にユーザから別のチャネルの選択操作がないときに、前記チューナに前記選択中のチャネルの放送データを受信させる、請求の範囲１１記載の放送受信装置。
【請求項１３】
指定されたチャネルの放送データを受信するチューナと、
前記チューナを制御することにより、受信可能なチャネルをサーチし、受信可能なチャネルおよびその選択順序を表わすチャネルマップを作成するサーチ部と、
前記チャネルマップ内のチャネルについて、選択の可否および／または選択順序の変更を規定した設定情報を作成する設定部と、
ユーザから選局を伴わないチャネルの順送り／逆送り操作と、選局を伴うチャネルの順送り／逆送り操作を受け付ける操作入力部と、
前記操作入力部を通じてユーザから選局を伴わないチャネルの順送りまたは逆送り操作があると、前記設定情報に従ってチャネルの選択を変更し、前記選択したチャネルの番号を表示し、前記チューナに前記選択したチャネルの放送データを受信させないようにし、
前記操作入力部を通じてユーザから選局を伴うチャネルの順送りまたは逆送り操作があると、前記設定情報に従ってチャネルの選択を変更し、前記チューナに前記選択したチャネルの放送データを受信させる切替部とを備えた放送受信装置。
【請求項１４】
番組情報および指定されたチャネルの放送データを受信するチューナと、
前記チューナを制御することにより、受信可能なチャネルをサーチし、受信可能なチャネルおよびその選択順序を表わすチャネルマップを作成するサーチ部と、
前記チャネルマップ内のチャネルについて、選択の可否および／または選択順序の変更を規定した設定情報を作成する設定部と、
前記チューナで受信した番組情報に従って、時間軸およびチャネル軸を有する表形式の電子番組表を表示する番組表表示部とを備え、
前記番組表表示部は、前記電子番組表のチャネル軸の方向において、前記設定情報で示される選択可能なチャネルのうちの全部または選択順序が連続する一部が、その選択順序の順に並ぶように配置する、放送受信装置。
【請求項１５】
前記操作入力部は、ユーザから前記チャネルマップ内の一部のチャネルの選択を無効にする指示、および／または選択可能なチャネルの選択順序を変更する指示を受付け、
前記設定部は、前記ユーザからの指示に従って前記設定情報を作成する、請求の範囲１４記載の放送受信装置。
【請求項１６】
前記設定部は、前記チャネルマップ内に同一の番組を放送するアナログ放送のチャネルとデジタル放送のチャネルとが混在する場合に、前記デジタル放送のチャネルの選択を不可能に設定し、若しくは前記アナログ放送のチャネルの選択を不可能に設定する、請求の範囲１４記載の放送受信装置。
【請求項１７】
前記設定部は、前記チャネルマップ内にアナログ放送のチャネルとデジタル放送のチャネルとが混在する場合に、はじめにアナログ放送のチャネルのみを順次選択し、その後デジタル放送のチャネルのみを順次選択する、若しくは、はじめにデジタル放送のチャネルのみを順次選択し、その後アナログ放送のチャネルのみを順次選択するように、前記チャネルマップ内のチャネルの選択順序を変更する、請求の範囲１４記載の放送受信装置。
【請求項１８】
前記設定部は、前記チャネルマップ内に複数個のサブチャネルを有するデジタル放送のチャネルが存在する場合に、前記チャネルについては、１個のサブチャネルのみへの選択を可能に設定する、請求の範囲１４記載の放送受信装置。
【請求項１９】
前記放送受信装置は、さらに、
前記チャネルマップ内のチャネルごとの視聴回数を記憶し、あるチャネルの選択後、前記操作入力部を通じて所定時間内に別のチャネルの選択操作が行なわれないときに、前記選択したチャネルを視聴したものとみなし、前記選択したチャネルの視聴回数をインクリメントするカウンタを備え、
前記設定部は、前記カウンタに記憶されているチャネルごとの視聴回数に従って前記設定情報を作成する、請求の範囲１４記載の放送受信装置。
【請求項２０】
前記設定部は、前記カウンタに記憶されている視聴回数が高いチャネルから順次選択されるように、前記チャネルマップ内のチャネルの選択順序を変更する、請求の範囲１９記載の放送受信装置。
【請求項２１】
前記放送受信装置は、さらに、
前記チャネルマップ内のチャネルごとに、別のチャネルへの視聴変更回数を記憶し、前記チャネルの選択後、前記操作入力部を通じて所定時間内に別のチャネルの選択操作が行なわれないときに、前記選択されたチャネルを視聴したとみなすカウンタを備え、
前記カウンタは、第１のチャネルの視聴の次に第２のチャネルを視聴したとみなした場合に、前記第１のチャネルにおける前記第２のチャネルへの視聴変更回数をインクリメントし、
前記設定部は、前記カウンタに記憶されている前記各チャネルにおける別のチャネルへの視聴変更聴回数に従って、前記設定情報を作成する、請求の範囲１４記載の放送受信装置。
【請求項２２】
前記設定部は、前記チャネルマップ内の各チャネルの視聴中において、前記カウンタに記憶されている前記各チャネルにおける視聴変更回数が高いチャネルから順次選択されるように、前記チャネルマップ内のチャネルの選択順序を変更する、請求の範囲２１記載の放送受信装置。
【請求項２３】
放送受信装置における番組選択方法であって、
前記放送受信装置が、チューナを制御することにより、受信可能なチャネルをサーチし、受信可能なチャネルおよびその選択順序を表わすチャネルマップを作成するステップと、
前記放送受信装置が、前記チャネルマップ内のチャネルについて、選択の可否および／または選択順序の変更を規定した設定情報を作成するステップと、
前記放送受信装置が、前記操作入力部を通じてユーザからチャネルの順送りまたは逆送り操作があると、前記設定情報に従ってチャネルの選択を変更し、前記チューナに前記選択したチャネルの放送データを受信させるステップとを含む番組選択方法。
【発明の詳細な説明】
【技術分野】
【０００１】
本発明は、放送受信装置および番組選択方法に関し、特に順送り／逆送りボタンの操作または電子番組表を用いて番組の選択を行なう放送受信装置および番組選択方法に関する。
【背景技術】
【０００２】
テレビ放送は、アナログまたはデジタルの種別にかかわらず、公の規則により使える搬送電波の周波数帯とそのチャネル番号が決められている。これを物理チャネルという。日本では通常のアナログ放送はＶＨＦ(Very-High  Frequency)帯とＵＨＦ(Ultra-High  Frequency)帯、デジタル地上波放送はＵＨＦ帯に割り当てられている。デジタル放送の導入により、これまでアナログ放送で提供していた内容と同様の番組内容を平行してデジタルチャネルでも提供するようになってきている。ところが、デジタル放送のチャネルの物理チャネル番号はアナログ放送とは異なる番号に割り当てられているので、同じ放送局の同じ番組内容でありながらアナログ放送とデジタル放送では異なるチャネル番号になる。このため、物理チャネル番号とは別にデジタル放送では仮想チャネル番号という考え方を取り入れ、対応するアナログ放送のチャネル番号と同じチャネル番号も割り当てできるような仕組みを取り入れている。また、デジタル放送では、１個のチャネル内に複数のサブチャネルを割り当てることができる。これにより、たとえば野球放送では、解説者が相違する複数のサブチャネルを放送することが可能となる。このような仮想チャネル番号は、デジタル放送のデータの中の仮想チャネルを示すデータフィールドに記述されているので、デジタル放送のデータを正しく受信すれば仮想チャネル番号を認識することができる。また、アナログ放送では仮想チャネルという概念はないが、無理やり割り当てるとしたなら物理チャネル番号が仮想チャネル番号となる。【０００３】
これまでのアナログ放送の時代は、高々１０個のチャネル程度の番組を１から１２までのチャネル選択ボタンの押下により選択してきた。しかしながら、デジタル放送の開始により、チャネル数は極端に増加しサブチャネルも含めると１００チャネルに近い選択肢になる。したがって、チャネル選択もチャネル番号ボタンの組み合わせ押下による目的のチャネルの直接指定に加え、インクリメント／デクリメントボタンによってチャネルを選択する方式が重要になっている。【０００４】
放送電波は、上記のように公の規則で放送局（事業者）ごとに地域によって使える搬送波の周波数帯が決められている。また、電波の届く範囲も限られているので、ある地域に限ってみるとすべての物理チャネルで番組が提供されておらず、放送のない物理チャネルが多数存在する。この歯抜けのまますべての物理チャネルをユーザがインクリメント／デクリメントボタンで順次選択しても無駄が多くなってしまう。また、この割り当ては地域によって異なり一律ではない。このため、多くの受像機は、受像機を設置する際に、すべての物理チャネルを順次受信してみて、受信可能なチャネルの情報をメモリ（たとえば制御用マイコンのデータメモリ）などに保管し、その情報に従って、受信可能なチャネルについてのみインクリメント／デクリメントボタンで順次選択するようにしている。このとき、メモリ内のチャネルマップが物理チャネル順に並んでいれば、インクリメント／デクリメントボタンによるチャネルの順次表示は物理チャネル順になり、仮想アドレス順に格納してあればインクリメント／デクリメントボタンによる順次表示は仮想チャネル順になる。【０００５】
またデジタル放送の開始により多くの受像機では、一画面に数チャネル分の電子番組表を表示させ、右／左／上／下ボタンの操作で、その中から所望の番組を視聴したり、予約したりする仕組みを備えている。この場合、受像機は、チャネルマップの格納順で各チャネルの番組情報を受信データから抜き出し、それに基づいて電子番組表を作成して表示する。電子番組表は、チャネルマップの格納順で各チャネルの番組タイトルが左から右に配置される。画面上は新聞紙面のＴＶ番組表のイメージで、上下に時刻、左右にチャネルが並び、左右のチャネルの並びはチャネルマップの格納順にしたがい、左／右ボタンによりチャネルを移動できる。また、上／下ボタンにより時刻を移動できる。ただし一画面に数チャネル分しか表示されできないので、たとえば右ボタンを押して一番右のチャネルに到達し場合、さらに右ボタンを押すと別のチャネルについての電子番組表が表示される（一番組ずつ移動する場合と一画面全体が移動する場合とが考えられる）。
【発明の開示】
【発明が解決しようとする課題】
【０００６】
しかしながら、従来の技術では、以下の理由によりユーザが速やかに所望の番組を視聴することができない。【０００７】
まず、プリサーチで絞ったとはいえ、チャネルマップ内にはまだ多数のチャネルが存在しており、インクリメント／デクリメントボタンによる順次サーチで番組を順番に選局することによって所望の番組を探し出すのは時間がかかる。【０００８】
さらに、アナログとデジタルの放送の切れ目では、解像度の違いから表示装置その他の設定値を大きく変更して表示を切り替える必要がある。チャネルマップ内のアナログ放送のチャネルとデジタル放送のチャネルが混在する場合には、アナログからデジタル、およびデジタルからアナログのチャネル切り替え時に多くの時間を費やし、所望の番組の選択にかかる時間をいっそう長大化させる。【０００９】
また、電子番組表との連動によるチャネルの選択では、チャネルマップ内のチャネルのうち一画面に数チャネル分しか表示されないので、所望の番組を見つけるのに長時間を要する。【００１０】
それゆえに、本発明の目的は、ユーザが速やかに所望の番組を視聴することができる放送受信装置および番組選択方法を提供することである。
【課題を解決するための手段】
【００１１】
本発明の一実施例によれば、次のような放送受信装置が提供される。チューナは、指定されたチャネルの放送データを受信する。サーチ部は、チューナを制御することにより、受信可能なチャネルをサーチし、受信可能なチャネルおよびその選択順序を表わすチャネルマップを作成する。設定部は、チャネルマップ内のチャネルについて、選択の可否および／または選択順序の変更を規定した設定情報を作成する。操作入力部は、ユーザからチャネルの選択操作を受け付ける。切替部は、操作入力部を通じてユーザからチャネルの順送りまたは逆送り操作があると、設定情報に従ってチャネルの選択を変更し、チューナに選択したチャネルの放送データを受信させる。
【発明の効果】
【００１２】
本発明の一実施例によれば、ユーザが速やかに所望の番組を視聴することができ、ユーザのチャネル選択時のストレスを軽減する効果がある。
【図面の簡単な説明】
【００１３】
【図１】第１の実施形態の放送受信装置の構成を表わす図である。
【図２】リモコンのボタンを表わす図である。
【図３】本発明の実施形態の選局動作の手順を表わすフローチャートである。
【図４】チャネルサーチによって作成されたチャネルマップの例を表わす図である。
【図５】図４のチャネルマップが用いられる場合に、ユーザによるインクリメント／デクリメントボタンの押下によって、チャネルの選択が移動する順序を表わす図である。
【図６】（ａ）は、図４のチャネルマップが用いられる場合の電子番組表を表わす図である。（ｂ）は、（ａ）の表示箇所を変更した場合の電子番組表を表わす図である。
【図７】ユーザが一部のチャネルの選択を無効にする指示をした場合の変更後のチャネルマップの例を表わす図である。
【図８】図７のチャネルマップが用いられる場合の、ユーザによるインクリメント／デクリメントボタンの押下によってチャネルの選択が移動する順序を表わす図である。
【図９】図７のチャネルマップが用いられる場合の電子番組表を表わす図である。
【図１０】図７のチャネルマップと同様のチャネル選択順序を規定するワーキングのチャネルマップの例を表わす図である。
【図１１】ユーザがチャネルの選択順序を変更する指示をした場合の変更後のチャネルマップの例を表わす図である。
【図１２】図１１のチャネルマップが用いられる場合の、ユーザによるインクリメント／デクリメントボタンの押下によってチャネルの選択が移動する順序を表わす図である。
【図１３】図１１のチャネルマップが用いられる場合の電子番組表を表わす図である。
【図１４】図１１のチャネルマップと同様のチャネル選択順序を規定するワーキングのチャネルマップの例を表わす図である。
【図１５】ユーザが一部のチャネルの選択を無効にし、かつチャネルの選択順序を変更する指示をした場合の、変更後のチャネルマップの例を表わす図である。
【図１６】図１５のチャネルマップが用いられる場合の、ユーザによるインクリメント／デクリメントボタンの押下によってチャネルの選択が移動する順序を表わす図である。
【図１７】図１５のチャネルマップが用いられる場合の電子番組表を表わす図である。
【図１８】図１５のチャネルマップと同様のチャネル選択順序を規定するワーキングのチャネルマップの例を表わす図である。
【図１９】同一番組がデジタル放送とアナログ放送とで受信できる場合に、対応するデジタル放送のチャネルを無効にした場合の変更後のチャネルマップの例を表わす図である。
【図２０】図１９のチャネルマップが用いられる場合の、ユーザによるインクリメント／デクリメントボタンの押下によってチャネルの選択が移動する順序を表わす図である。
【図２１】図１９のチャネルマップが用いられる場合の電子番組表を表わす図である。
【図２２】図１９のチャネルマップと同様のチャネル選択順序を規定するワーキングのチャネルマップの例を表わす図である。
【図２３】同一番組がデジタル放送とアナログ放送とで受信できる場合に、対応するアナログ放送のチャネルとデジタル放送のサブチャネル２、３を無効にした場合の変更後のチャネルマップの別の例を表わす図である。
【図２４】図２３のチャネルマップが用いられる場合の、ユーザによるインクリメント／デクリメントボタンの押下によってチャネルの選択が移動する順序を表わす図である。
【図２５】図２３のチャネルマップが用いられる場合の電子番組表を表わす図である。
【図２６】図２３のチャネルマップと同様のチャネル選択順序を規定するワーキングのチャネルマップの例を表わす図である。
【図２７】デジタル放送とアナログ放送とが両方受信できる場合の、変更後のチャネルマップの例を表わす図である。
【図２８】図２７のチャネルマップが用いられる場合の、ユーザによるインクリメント／デクリメントボタンの押下によってチャネルの選択が移動する順序を表わす図である。
【図２９】図２７のチャネルマップが用いられる場合の電子番組表を表わす図である。
【図３０】図２７のチャネルマップと同様のチャネル選択順序を規定するワーキングのチャネルマップの例を表わす図である。
【図３１】デジタル放送とアナログ放送とが両方受信できる場合の、変更後のチャネルマップの別の例を表わす図である。
【図３２】図３１のチャネルマップが用いられる場合の、ユーザによるインクリメント／デクリメントボタンの押下によってチャネルの選択が移動する順序を表わす図である。
【図３３】図３１のチャネルマップが用いられる場合の電子番組表を表わす図である。
【図３４】図３１のチャネルマップと同様のチャネル選択順序を規定するワーキングのチャネルマップの例を表わす図である。
【図３５】複数のサブチャネルを有するデジタル放送が受信できる場合の、変更後のチャネルマップの例を表わす図である。
【図３６】図３５のチャネルマップが用いられる場合の、ユーザによるインクリメント／デクリメントボタンの押下によってチャネルの選択が移動する順序を表わす図である。
【図３７】図３５のチャネルマップが用いられる場合の電子番組表を表わす図である。
【図３８】図３５のチャネルマップと同様のチャネル選択順序を規定するワーキングのチャネルマップの例を表わす図である。
【図３９】第９の実施形態の放送受信装置の構成を表わす図である。
【図４０】カウンタに記憶されるカウント値の例を表わす図である。
【図４１】図４０のカウント値の場合の、変更後のチャネルマップの例を表わす図である。
【図４２】図４１のチャネルマップが用いられる場合の、ユーザによるインクリメント／デクリメントボタンの押下によってチャネルの選択が移動する順序を表わす図である。
【図４３】図４１のチャネルマップが用いられる場合の電子番組表を表わす図である。
【図４４】図４１のチャネルマップと同様のチャネル選択順序を規定するワーキングのチャネルマップの例を表わす図である。
【図４５】第８の実施形態の放送受信装置の構成を表わす図である。
【図４６】（ａ）は、カウンタに記憶されている「２」チャネルにおける別のチャネルへの視聴変更回数の例を表わす図である。（ｂ）は、「５」チャネルにおける別のチャネルへの視聴変更回数の例を表わす図である。
【図４７】図４６（ａ）および図４６（ｂ）のカウント値の場合の、変更後のチャネルマップの例を表わす図である。
【図４８】（ａ）は、図４７のチャネルマップが用いられる場合の、現在の視聴チャネルが「２」チャネルのときに、ユーザによるインクリメント／デクリメントボタンの押下によってチャネルの選択が移動する順序を表わす図である。（ｂ）は、図４７のチャネルマップが用いられる場合の、現在の視聴チャネルが「５」チャネルのときに、ユーザによるインクリメント／デクリメントボタンの押下によってチャネルの選択が移動する順序を表わす図である。
【図４９】（ａ）は、図４７のチャネルマップが用いられる場合の、現在の視聴チャネルが「２」チャネルのときの電子番組表を表わす図である。（ｂ）は、図４７のチャネルマップが用いられる場合の、現在の視聴チャネルが「５」チャネルのときの電子番組表を表わす図である。
【図５０】（ａ）および（ｂ）は、図４７のチャネルマップと同様のチャネル選択順序を規定するワーキングのチャネルマップの例を表わす図である。
【図５１】第１１の実施形態において表示されるチャネル番号の例を表わす図である。
【図５２】第１２の実施形態において表示されるチャネル番号の例を表わす図である。
【符号の説明】
【００１４】
１０，１１０，２１０  番組選択部、１１  チャネルサーチ部、１２  チャネル順序設定部、１３，１１３，２１３  チャネル切替部、１４  チャネルマップ記憶部、１５  番組表示部、２０  アンテナ、２２  チューナ、２４  映像および音声データ抽出部、２６  画像音声出力部（以下、テレビジョンと称す）、３０  操作入力部、３２  リモコン、３３  電源ボタン、４１  インクリメントボタン、４２  デクリメントボタン、３４  受光部、３６  チャネル選択ボタン、４３  左ボタン、４４  右ボタン、４５  上ボタン、４６  下ボタン、１００，２００，３００  放送受信装置、１１６，２１６  カウンタ。
【発明を実施するための最良の形態】
【００１５】
［第１の実施形態］
図１は、第１の実施形態の放送受信装置の構成を表わす図である。【００１６】
図１を参照して、この放送受信装置１００は、アンテナ２０と、チューナ２２と、映像および音声データ抽出部２４と、番組選択部１０と、リモコン３２と、テレビジョン２６とを備える。番組選択部１０は、受光部３４と、チャネルサーチ部１１と、チャネルマップ記憶部１４と、チャネル順序設定部１２と、チャネル切替部１３と、番組表表示部１５とを有する。【００１７】
リモコン３２と、リモコン３２から信号を受光する受光部３４は、ユーザからチャネルの選択操作を受け付ける操作入力部３４を構成する。【００１８】
図２は、リモコンのボタンを表わす図である。
図２を参照して、電源ボタン３３は、この放送受信装置の電源のオンとオフを切替えるボタンである。チャネル番号ボタン３６は、その番号（ここでは仮想チャネル番号とする）のチャネルを選択するためのボタンである。インクリメントボタン４１およびデクリメントボタン４２は、チャネルを順送り、逆送りすることでチャネルを選択するためのボタンである。【００１９】
左ボタン４３、右ボタン４４、上ボタン４５、および下ボタン４６は、電子番組表が表示されているときに、カーソルを移動させるためのボタンである。たとえば、ユーザが、左ボタンを押下げると、電子番組表の左側（つまり、次のチャネル）にカーソルが移動する。また、ユーザが、下ボタンを押下げると、電子番組表の下側（つまり、次時間帯）にカーソルが移動する。カーソルの箇所において、図示しないボタンを押下することによって、その箇所の番組のチャネルの選局、またはその箇所の番組の録画予約が行なわれる。  【００２０】
アンテナ２０は、放送局から送信される放送波を受信する。
チューナ２２は、指定されたチャネルの周波数に同調させて、放送波から指定されたチャネルの放送データを受信する。アナログ放送とデジタル放送の双方を受信するためにはそれぞれ用に少なくとも２種類のチューナ２２を備える必要があるが、ここでは説明の簡単化のためにひとつであらわしている。また、チューナ２２は、放送される各番組についての番組情報を受信する。番組情報には、日付、チャネル、曜日、開始時刻、終了時刻、番組の種類、および番組タイトルなどが含まれる。【００２１】
映像および音声データ抽出部２４は、チューナ２２で受信した放送データから映像データおよび音声データを抽出して、テレビジョン２６に映像および音声を出力させる。【００２２】
チャネルサーチ部１１は、チューナ２２を制御することにより、受信可能なチャネルをサーチし、受信可能なチャネルおよびその選択順序を表わすチャネルマップを作成して、チャネルマップ記憶部１４に格納する。【００２３】
チャネルマップ記憶部１４は、チャネルサーチ部１１で作成されたチャネルマップを記憶する。チャネルマップ内の各チャネルの情報は、仮想チャネル番号と、物理チャネル番号と、アナログ放送かデジタル放送かの種別、前チャネルのアドレスと、次チャネルのアドレスと、先頭チャネルを表わすフラグＳとからなる。ここで、前チャネルのアドレスとは、チャネルマップ内での選択順序が１つ前のチャネルの情報が格納される位置を表わす。次チャネルのアドレスとは、チャネルマップ内での選択順序が１つ後のチャネルの情報が格納される位置を表わす。このチャネルマップ内の情報は、チャネル順序設定部１２によって変更され、チャネル切替部１３によって、チャネルの選択のために読み出される。【００２４】
チャネル順序設定部１２は、チャネルマップ記憶部１４内のチャネルマップ内のチャネルについて、選択の可否および／または選択順序の変更を行なう。第１の実施形態では、チャネル順序設定部１２は、ユーザからの操作入力部３４を通じた指示に応じて、チャネルマップ内の一部のチャネルの選択を無効にする。【００２５】
チャネル切替部１３は、ユーザがインクリメント／デクリメントボタンを押下すると、チャネルマップにしたがってチャネルの選択を変更し、チューナ２２に選択したチャネルの放送データを受信させる。具体的には、チャネル切替部１３は、ユーザがインクリメントボタンを押下げると、チャネルマップ内の現在選択中のチャネルの情報にアクセスして、次チャネルのアドレスを取得し、そのアドレスにアクセスして仮想チャネル番号（以降では、単にチャネル番号と呼ぶ）を取得して、そのチャネルの選択を行なう。また、チャネル切替部１３は、ユーザがデクリメントボタンを押下げると、チャネルマップ内の現在選択中のチャネルの情報にアクセスして、前チャネルのアドレスを取得し、そのアドレスにアクセスしてチャネル番号を取得して、そのチャネルの選択を行なう。【００２６】
番組表表示部１５は、チューナ２２で受信した番組情報とチャネル順序設定部１２によって変更されたチャネルマップ記憶部１４内のチャネルマップにしたがって、選択可能なチャネルのうちの順序が連続する一部のチャネルについて、表形式の電子番組表を作成して表示する。電子番組表は、縦方向（行が変化する方向）に時間軸を有し、横方向（列が変化する方向）にチャネル軸を有する。番組表表示部１５は、電子番組表のチャネル軸の方向（横方向）において、選択可能なチャネルのうちの順序が連続する一部のチャネルが、その選択順序の順に並ぶように配置する。【００２７】
（選局動作）
図３は、本発明の実施形態の選局動作の手順を表わすフローチャートである。【００２８】
図３を参照して、まず、チャネルサーチ部１１は、チューナ２２を制御することにより、受信可能なチャネルをサーチし、受信可能なチャネルおよびその選択順序を表わすチャネルマップを作成して、チャネルマップ記憶部１４に格納する（ステップＳ１０１）。【００２９】
次に、チャネル順序設定部１２は、チャネルマップ内のチャネルについて、選択の可否および／または選択順序の変更をする（ステップＳ１０２）。【００３０】
次に、チャネル切替部１３は、ユーザがインクリメント／デクリメントボタンを押下すると（ステップＳ１０３でＹＥＳ）、チャネルマップにしたがってチャネルの選択を変更し、チューナ２２に選択したチャネルの放送データを受信させる（ステップＳ１０４）。【００３１】
一方、番組表表示部１５は、ユーザが図示しない番組表の表示を指示するボタンを押下すると（ステップＳ１０５でＹＥＳ）、受信した番組情報と、チャネルマップにしたがって電子番組表を表示する（ステップＳ１０６）。【００３２】
番組表表示部１５は、ユーザが左／右／上／下ボタンを押下すると（ステップＳ１０７でＹＥＳ）、カーソルの移動、または別のチャネルまたは時間帯の電子番組表を表示する（ステップＳ１０８）。【００３３】
番組表表示部１５は、ユーザが図示しないボタンの押下によって、電子番組表の番組の視聴指示または録画予約を指定した場合に（ステップＳ１０９でＹＥＳ）、チューナ２２に視聴指示した番組のチャネルの放送データの受信、または録画予約をさせる（ステップＳ１１０）。【００３４】
（チャネルサーチ後のチャネルマップ、選択順序、および電子番組表の具体例）
図４は、チャネルサーチによって作成されたチャネルマップの例を表わす図である。【００３５】
図４を参照して、各チャネルの情報は、仮想チャネル番号と、物理チャネル番号と、アナログ放送かデジタル放送かの種別、前チャネルのアドレスと、次チャネルのアドレスと、先頭チャネルを表わすフラグＳとからなる。【００３６】
また、アドレスは、チャネルマップ内で各チャネルの情報の格納位置を表わす。図４に示すように、アドレスが小さい位置に、仮想チャネル番号が小さいチャネルの情報が格納される。また、図４では、前チャネルのアドレスは、仮想チャネル番号が１つ前のチャネルのアドレスを示し、次チャネルのアドレスは、仮想チャネル番号が１つ後のチャネルのアドレスを示している。したがって、図４のチャネルマップが用いられる場合には、チャネルの選択順序は仮想チャネル番号の順番となる。【００３７】
図５は、図４のチャネルマップが用いられる場合の、ユーザによるインクリメント／デクリメントボタンの押下によってチャネルの選択が移動する順序を表わす図である。【００３８】
図５を参照して、チャネル切替部１３は、ユーザがインクリメントボタンを押下げると、実線方向にチャネルの選択を移動させ、ユーザがデクリメントボタンを押下げると、点線方向にチャネルの選択を移動させる。たとえば、チャネル切替部１３は、「２」チャネルを選択中に、ユーザがインクリメントボタンを押下げると、図４のチャネルマップにおいて、「２」チャネルの情報から次チャネルのアドレス「０ｘ１０」を読み出して、アドレス「０ｘ１０」に格納されているチャネル番号「５」を特定し、「５」チャネルへ選択を移動する。また、チャネル切替部１３は、「２」チャネルを選択中に、ユーザがデクリメントボタンを押下げると、図４のチャネルマップにおいて、「２」チャネルの情報から前チャネルのアドレス「０ｘＤ０」を読み出して、アドレス「０ｘＤ０」に格納されているチャネル番号「２６−３」を特定し、「２６−３」チャネルへ選択を移動する。【００３９】
図６（ａ）は、図４のチャネルマップが用いられる場合の電子番組表を表わす図である。【００４０】
図６（ａ）を参照して、番組表表示部１５は、電子番組表の第１列目に、図４のチャネルマップにおいて先頭チャネルフラグＳが付けられた選択順序が１番目の「２」チャネルの番組を配置する。番組表表示部１５は、図４のチャネルマップにおいて「２」チャネルの情報から次チャネルのアドレス「０ｘ１０」を読出して、アドレス「０ｘ１０」に格納されているチャネル番号「５」を特定し、電子番組表の第２列目に選択順序が２番目の「５」チャネルの番組を配置する。以下、同様にして、その他の列にも、その列に対応する選択順序のチャネルの番組が配置される。【００４１】
図６（ａ）のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。【００４２】
図６（ａ）のハッチングされた箇所は、一部のチャネルのみの電子番組表を表示する場合の初期状態で表示される電子番組表を示す。初期状態では、ハッチングされた箇所である第１列目から第４列目、つまり選択順序が第１番目から第４番目までのチャネルについての電子番組表が表示される。その後、ユーザが右／左ボタンを操作することによって、電子番組表のチャネルを変化させることができる。たとえば、図６（ａ）において、ユーザが右ボタンでカーソルを第４列目まで移動させた後、さらに右ボタンを押下した場合に、図６（ｂ）のハッチングされた箇所である第２列目から第５列目、つまり選択順序が第２番目から第５番目までのチャネルについての電子番組表が表示される。また、ユーザが上／下ボタンを操作することによって電子番組表の時間帯を変化させることができる。【００４３】
（チャネル順序設定後のチャネルマップ、選択順序、および電子番組表の具体例）
図７は、ユーザが一部のチャネルの選択を無効にする指示をした場合の変更後のチャネルマップの例を表わす図である。【００４４】
図８は、図７のチャネルマップが用いられる場合の、ユーザによるインクリメント／デクリメントボタンの押下によってチャネルの選択が移動する順序を表わす図である。【００４５】
ユーザが、リモコン３２の図示しないボタンを操作して、「８」、「８−１」、「８−２」、「８−３」チャネルの選択を無効にした場合に、チャネル順序設定部１２は、チャネルマップを図７のように書き換える。すなわち、チャネル順序設定部１２は、「７」チャネルの選択時に、インクリメントボタンが選択されると、「８」、「８−１」、「８−２」、「８−３」チャネルをとばして「９」チャネルに移動するように、「７」チャネルの次チャネルのアドレスを「９」チャネルのアドレス「０ｘ７０」に設定する。また、チャネル順序設定部１２は、「９」チャネルの選択時に、デクリメントボタンが選択されると「８−３」、「８−２」、「８−１」、「８」チャネルをとばして「７」チャネルに移動するように、「９」チャネルの前チャネルのアドレスを「７」チャネルのアドレス「０ｘ２０」に設定する。【００４６】
チャネル切替部１３は、図７の更新されたチャネルマップに従い、図８のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。たとえば、チャネル切替部１３は、「７」チャネルを選択中に、ユーザがインクリメントボタンを押下げると、図７のチャネルマップにおいて、「７」チャネルの情報から次チャネルのアドレス「０ｘ７０」を読み出して、アドレス「０ｘ７０」に格納されているチャネル番号「９」を特定し、「９」チャネルへ選択を移動する。また、チャネル切替部１３は、「９」チャネルを選択中に、ユーザがデクリメントボタンを押下げると、図７のチャネルマップにおいて、「９」チャネルの情報から前チャネルのアドレス「０ｘ２０」を読み出して、アドレス「０ｘ２０」に格納されているチャネル番号「７」を特定し、「７」チャネルへ選択を移動する。【００４７】
図９は、図７のチャネルマップが用いられる場合の電子番組表を表わす図である。
図９を参照して、番組表表示部１５は、電子番組表の第１列目に、図７のチャネルマップにおいて先頭チャネルフラグＳが付けられた選択順序が１番目の「２」チャネルの番組のタイトルを配置する。番組表表示部１５は、図７のチャネルマップにおいて「２」チャネルの情報から次チャネルのアドレス「０ｘ１０」を読出して、アドレス「０ｘ１０」に格納されているチャネル番号「５」を特定し、電子番組表の第２列目に選択順序が第２番目の「５」チャネルの番組のタイトルを配置する。以下、同様にして、その他の列にも、その列に対応する選択順序のチャネルの番組のタイトルが配置される。【００４８】
図９のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【００４９】
以上のように、第１の実施形態の放送受信装置によれば、プリサーチで見つかったチャネルの一部をとばして選局することができるので、好みのチャネルのみを選局することができる。チャネルマップを単に書き換えるだけの簡単な処理でこれを実現できるので、プリサーチを再度実施する必要がない。【００５０】
［第１の実施形態の変形例］
第１の実施形態では、チャネル順序設定部１２はチャネルマップを変更し、チャネル切替部１３は、変更されたチャネルマップを用いてチャネルの選択を切替えたが、これに限定するものではない。チャネル順序設定部１２は、従来のチャネルマップ（マスタとする）から、選択可能なチャネルの情報を選択順序の順番でワーキングのチャネルマップに取り込むものとし、チャネル切替部１３は、ワーキングのチャネルマップを用いてチャネルの選択を切替えてもよい。【００５１】
図１０は、図７のチャネルマップと同様のチャネル選択順序を規定するワーキングのチャネルマップの例を表わす図である。【００５２】
図１０を参照して、アドレスは、ワーキングのチャネルマップ内で各チャネルの情報の格納位置を表わす。図１０に示すように、アドレスが小さい位置に、選択順序がはやいチャネルの情報が格納される。図１０のワーキングのチャネルマップでは、図８に示すような選択順序の順番にチャネルの情報が格納される。【００５３】
チャネル切替部１３は、ユーザがインクリメントボタンを押下げると、ワーキングのチャネルマップにおいて、現在選択中のチャネルの情報が格納されたアドレスの１つ後のアドレスに格納されたチャネルの選択を行なう。チャネル切替部１３は、ユーザがデクリメントボタンを押下げると、ワーキングのチャネルマップにおいて、現在選択中のチャネルの情報が格納されたアドレスの１つ前のアドレスに格納されたチャネルの選択を行なう。【００５４】
［第２の実施形態］
第２の実施形態では、チャネル順序設定部１２は、ユーザからの操作入力部３４を通じた指示に応じて、チャネルマップ内の選択可能なチャネルの選択順序を変更する。【００５５】
（チャネル順序設定後のチャネルマップ、選択順序、および電子番組表の具体例）
図１１は、ユーザがチャネルの選択順序を変更する指示をした場合の変更後のチャネルマップの例を表わす図である。【００５６】
図１２は、図１１のチャネルマップが用いられる場合の、ユーザによるインクリメント／デクリメントボタンの押下によってチャネルの選択が移動する順序を表わす図である。【００５７】
ユーザがリモコン３２の図示しないボタンを操作して、「５」チャネルの選択の次に「８」チャネルの選択に移動し、「８−３」チャネルの選択の次に「７」チャネルの選択に移動するように、チャネルの選択順序を変更した場合に、チャネル順序設定部１２は、チャネルマップを図１１のように書き換える。【００５８】
すなわち、チャネル順序設定部１２は、「５」チャネルの選択時に、インクリメントボタンが選択されると、「８」チャネルに移動するように、「５」チャネルの次チャネルのアドレスを「８」チャネルのアドレス「０ｘ３０」に設定する。また、チャネル順序設定部１２は、「８」チャネルの選択時に、デクリメントボタンが選択されると「５」チャネルに移動するように、「８」チャネルの前チャネルのアドレスを「５」チャネルのアドレス「０ｘ１０」に設定する。また、チャネル順序設定部１２は、「８−３」チャネルの選択時に、インクリメントボタンが選択されると、「７」チャネルに移動するように、「８−３」チャネルの次チャネルのアドレスを「７」チャネルのアドレス「０ｘ２０」に設定する。また、チャネル順序設定部１２は、「７」チャネルの選択時に、デクリメントボタンが選択されると「８−３」チャネルに移動するように、「７」チャネルの前チャネルのアドレスを「８−３」チャネルのアドレス「０ｘ６０」に設定する。また、チャネル順序設定部１２は、「７」チャネルの選択時に、インクリメントボタンが選択されると、「９」チャネルに移動するように、「７」チャネルの次チャネルのアドレスを「９」チャネルのアドレス「０ｘ７０」に設定する。また、チャネル順序設定部１２は、「９」チャネルの選択時に、デクリメントボタンが選択されると「７」チャネルに移動するように、「９」チャネルの前チャネルのアドレスを「７」チャネルのアドレス「０ｘ２０」に設定する。【００５９】
チャネル切替部１３は、図１１の更新されたチャネルマップに従い、図１２のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。たとえば、チャネル切替部１３は、「５」チャネルを選択中に、ユーザがインクリメントボタンを押下げると、図１１のチャネルマップにおいて、「５」チャネルの情報から次チャネルのアドレス「０ｘ３０」を読み出して、アドレス「０ｘ３０」に格納されているチャネル番号「８」を特定し、「８」チャネルへ選択を移動する。また、チャネル切替部１３は、「８」チャネルを選択中に、ユーザがデクリメントボタンを押下げると、図１１のチャネルマップにおいて、「８」チャネルの情報から前チャネルのアドレス「０ｘ１０」を読み出して、アドレス「０ｘ１０」に格納されているチャネル番号「５」を特定し、「５」チャネルへ選択を移動する。【００６０】
図１３は、図１１のチャネルマップが用いられる場合の電子番組表を表わす図である。
図１３を参照して、番組表表示部１５は、電子番組表の第１列目に、図１１のチャネルマップにおいて先頭チャネルフラグＳが付けられた選択順序が１番目の「２」チャネルの番組を配置する。番組表表示部１５は、図１１のチャネルマップにおいて「２」チャネルの情報から次チャネルのアドレス「０ｘ１０」を読出して、アドレス「０ｘ１０」に格納されているチャネル番号「５」を特定し、電子番組表の第２列目に選択順序が２番目の「５」チャネルの番組を配置する。以下、同様にして、その他の列にも、その列に対応する選択順序のチャネルの番組が配置される。【００６１】
図１３のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【００６２】
以上のように、第２の実施形態の放送受信装置によれば、選局順序を変更できるので、選局する可能性の大きなチャネルから順番に選局することができる。【００６３】
［第２の実施形態の変形例］
第１の実施形態の変形例と同様に、第２の実施形態でも、チャネルマップを変更することに代えて、ワーキングのチャネルマップを作成して、チャネル選択の切替時にこれを用いるものとしてもよい。【００６４】
図１４は、図１１のチャネルマップと同様のチャネル選択順序を規定するワーキングのチャネルマップの例を表わす図である。【００６５】
図１４を参照して、アドレスが小さい位置に、選択順序がはやいチャネルの情報が格納される。図１４のワーキングのチャネルマップでは、図１２に示すような選択順序の順番にチャネルの情報が格納される。【００６６】
［第３の実施形態］
第３の実施形態では、チャネル順序設定部１２は、ユーザからの操作入力部３４を通じた指示に応じて、チャネルマップ内の一部のチャネルの選択を無効にし、かつ選択可能なチャネルの選択順序を変更する。【００６７】
（チャネル順序設定後のチャネルマップ、選択順序、および電子番組表の具体例）
図１５は、ユーザが一部のチャネルの選択を無効にし、かつチャネルの選択順序を変更する指示をした場合の、変更後のチャネルマップの例を表わす図である。【００６８】
図１６は、図１５のチャネルマップが用いられる場合の、ユーザによるインクリメント／デクリメントボタンの押下によってチャネルの選択が移動する順序を表わす図である。【００６９】
ユーザが、リモコン３２の図示しないボタンを操作して、「８」、「８−１」、「８−２」、「８−３」チャネルの選択を無効にし、かつ「５」チャネルの選択の次に「９」チャネルに移動し、その次に「７」チャネルに移動し、その次に「１８−１」チャネルに移動するようにチャネルの選択順序を変更した場合に、チャネル順序設定部１２は、チャネルマップを図１３のように書き換える。【００７０】
すなわち、チャネル順序設定部１２は、「５」チャネルの選択時に、インクリメントボタンが選択されると、「７」チャネルではなく「９」チャネルに移動するように、「５」チャネルの次チャネルのアドレスを「９」チャネルのアドレス「０ｘ７０」に設定する。また、チャネル順序設定部１２は、「９」チャネルの選択時に、デクリメントボタンが選択されると「８−３」チャネルではなく「５」チャネルに移動するように、「９」チャネルの前チャネルのアドレスを「５」チャネルのアドレス「０ｘ１０」に設定する。【００７１】
また、チャネル順序設定部１２は、「９」チャネルの選択時に、インクリメントボタンが選択されると、「１８−１」チャネルではなく「７」チャネルに移動するように、「９」チャネルの次チャネルのアドレスを「７」チャネルのアドレス「０ｘ２０」に設定する。また、チャネル順序設定部１２は、「７」チャネルの選択時に、デクリメントボタンが選択されると「５」チャネルではなく「９」チャネルに移動するように、「７」チャネルの前チャネルのアドレスを「９」チャネルのアドレス「０ｘ７０」に設定する。【００７２】
また、チャネル順序設定部１２は、「７」チャネルの選択時に、インクリメントボタンが選択されると、「８」チャネルではなく「１８−１」チャネルに移動するように、「７」チャネルの次チャネルのアドレスを「１８−１」チャネルのアドレス「０ｘ８０」に設定する。また、チャネル順序設定部１２は、「１８−１」チャネルの選択時に、デクリメントボタンが選択されると「９」チャネルではなく「７」チャネルに移動するように、「１８−１」チャネルの前チャネルのアドレスを「７」チャネルのアドレス「０ｘ２０」に設定する。【００７３】
チャネル切替部１３は、図１５の更新されたチャネルマップに従い、図１６のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。たとえば、チャネル切替部１３は、「５」チャネルを選択中に、ユーザがインクリメントボタンを押下げると、図１５のチャネルマップにおいて、「５」チャネルの情報から次チャネルのアドレス「０ｘ７０」を読み出して、アドレス「０ｘ７０」に格納されているチャネル番号「９」を特定し、「９」チャネルへ選択を移動する。また、チャネル切替部１３は、「９」チャネルを選択中に、ユーザがデクリメントボタンを押下げると、図１５のチャネルマップにおいて、「９」チャネルの情報から前チャネルのアドレス「０ｘ１０」を読み出して、アドレス「０ｘ１０」に格納されているチャネル番号「５」を特定し、「５」チャネルへ選択を移動する。【００７４】
図１７は、図１５のチャネルマップが用いられる場合の電子番組表を表わす図である。
図１７を参照して、番組表表示部１５は、電子番組表の第１列目に、図１５のチャネルマップにおいて先頭チャネルフラグＳが付けられた選択順序が１番目の「２」チャネルの番組配置する。番組表表示部１５は、図１５のチャネルマップにおいて「２」チャネルの情報から次チャネルのアドレス「０ｘ１０」を読出して、アドレス「０ｘ１０」に格納されているチャネル番号「５」を特定し、電子番組表の第２列目に選択順序が２番目の「５」チャネルの番組を配置する。以下、同様にして、その他の列にも、その列に対応する選択順序のチャネルの番組が配置される。【００７５】
図１７のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【００７６】
以上のように、第３の実施形態の放送受信装置によれば、プリサーチで見つかったチャネルの一部をとばし、かつ選局順序を変更できるので、好みのチャネルのみを選局する可能性の大きなチャネルから順番に選局することができる。【００７７】
［第３の実施形態の変形例］
第１の実施形態の変形例と同様に、第３の実施形態でも、チャネルマップを変更することに代えて、ワーキングのチャネルマップを作成して、チャネル選択の切替時にこれを用いるものとしてもよい。【００７８】
図１８は、図１５のチャネルマップと同様のチャネル選択順序を規定するワーキングのチャネルマップの例を表わす図である。【００７９】
図１８を参照して、アドレスが小さい位置に、選択順序がはやいチャネルの情報が格納される。図１８のワーキングのチャネルマップでは、図１６に示すような選択順序の順番にチャネルの情報が格納される。【００８０】
［第４の実施形態］
第４の実施形態では、チャネル順序設定部１２は、アナログ放送のチャネルの番組と同一番組を放送するデジタル放送のチャネルがある場合に、そのデジタル放送のチャネルが選択されないように、チャネルマップを書き換える。【００８１】
（チャネル順序設定後のチャネルマップ、選択順序、および電子番組表の具体例）
図１９は、同一番組のデジタル放送とアナログ放送とが受信できる場合の変更後のチャネルマップの例を表わす図である。【００８２】
図２０は、図１９のチャネルマップが用いられる場合の、ユーザによるインクリメント／デクリメントボタンの押下によってチャネルの選択が移動する順序を表わす図である。【００８３】
チャネル順序設定部１２は、チャネルマップを図１９のように書き換える。すなわち、アナログ放送の「８」チャネルと、デジタル放送の「８−１」、「８−２」、「８−３」チャネルは、同一の番組が放送されているので、チャネル順序設定部１２は、「８」チャネルの選択時に、インクリメントボタンが選択されると、デジタル放送の「８−１」、「８−２」、「８−３」チャネルをとばして「９」チャネルに移動するように、「８」チャネルの次チャネルのアドレスを「９」チャネルのアドレス「０ｘ７０」に設定する。また、チャネル順序設定部１２は、「９」チャネルの選択時に、デクリメントボタンが選択されると「８−３」、「８−２」、「８−１」チャネルをとばして「８」チャネルに移動するように、「９」チャネルの前チャネルのアドレスを「８」チャネルのアドレス「０ｘ３０」に設定する。【００８４】
チャネル切替部１３は、図１９の更新されたチャネルマップに従い、図２０のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。たとえば、チャネル切替部１３は、「８」チャネルを選択中に、ユーザがインクリメントボタンを押下げると、図１９のチャネルマップにおいて、「８」チャネルの情報から次チャネルのアドレス「０ｘ７０」を読み出して、アドレス「０ｘ７０」に格納されているチャネル番号「９」を特定し、「９」チャネルへ選択を移動する。また、チャネル切替部１３は、「９」チャネルを選択中に、ユーザがデクリメントボタンを押下げると、図１９のチャネルマップにおいて、「９」チャネルの情報から前チャネルのアドレス「０ｘ３０」を読み出して、アドレス「０ｘ３０」に格納されているチャネル番号「８」を特定し、「８」チャネルへ選択を移動する。【００８５】
図２１は、図１９のチャネルマップが用いられる場合の電子番組表を表わす図である。
図２１を参照して、番組表表示部１５は、電子番組表の第１列目に、図１９のチャネルマップにおいて先頭チャネルフラグＳが付けられた選択順序が１番目の「２」チャネルの番組を配置する。番組表表示部１５は、図１９のチャネルマップにおいて「２」チャネルの情報から次チャネルのアドレス「０ｘ１０」を読出して、アドレス「０ｘ１０」に格納されているチャネル番号「５」を特定し、電子番組表の第２列目に選択順序が２番目の「５」チャネルの番組を配置する。以下、同様にして、その他の列にも、その列に対応する選択順序のチャネルの番組のタイトルが配置される。【００８６】
図２１のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【００８７】
以上のように、第４の実施形態の放送受信装置によれば、アナログ放送のチャネルの番組と同一番組を放送するデジタル放送のチャネルがある場合に、そのデジタル放送のチャネルが選択されないので、同一の番組が何度も選局されるのを防止することができる。【００８８】
［第４の実施形態の変形例］
第１の実施形態の変形例と同様に、第４の実施形態でも、チャネルマップを変更することに代えて、ワーキングのチャネルマップを作成して、チャネル選択の切替時にこれを用いるものとしてもよい。【００８９】
図２２は、図１９のチャネルマップと同様のチャネル選択順序を規定するワーキングのチャネルマップの例を表わす図である。【００９０】
図２２を参照して、アドレスが小さい位置に、選択順序がはやいチャネルの情報が格納される。図２２のワーキングのチャネルマップでは、図２０に示すような選択順序の順番にチャネルの情報が格納される。【００９１】
［第５の実施形態］
第５の実施形態では、チャネル順序設定部１２は、デジタル放送のチャネルの番組と同一番組を放送するアナログ放送のチャネルがある場合に、そのアナログ放送のチャネルとデジタル放送の代表チャネル（Ｘ−１）以外のサブチャネル（Ｘ−２，Ｘ−３）が、またデジタル放送のみの場合は代表チャネル（Ｘ−１）以外が選択されないように、チャネルマップを書き換える。【００９２】
（チャネル順序設定後のチャネルマップ、選択順序、および電子番組表の具体例）
図２３は、同一番組のデジタル放送とアナログ放送とが受信できる場合の変更後のチャネルマップの別の例を表わす図である。【００９３】
図２４は、図２３のチャネルマップが用いられる場合の、ユーザによるインクリメント／デクリメントボタンの押下によってチャネルの選択が移動する順序を表わす図である。【００９４】
チャネル順序設定部１２は、チャネルマップを図２３のように書き換える。すなわち、デジタル放送の「８−１」、「８−２」、「８−３」チャネルと、アナログ放送の「８」チャネルとは、同一の番組が放送されているので、チャネル順序設定部１２は、「７」チャネルの選択時に、インクリメントボタンが選択されると、アナログ放送の「８」チャネルをとばして「８−１」チャネルに移動するように、「７」チャネルの次チャネルのアドレスを「８−１」チャネルのアドレス「０ｘ４０」に設定する。また、チャネル順序設定部１２は、「８−１」チャネルの選択時に、デクリメントボタンが選択されると「８」チャネルをとばして「７」チャネルに移動するように、「８−１」チャネルの前チャネルのアドレスを「７」チャネルのアドレス「０ｘ２０」に設定する。【００９５】
チャネル切替部１３は、図２３の更新されたチャネルマップに従い、図２４のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。たとえば、チャネル切替部１３は、「７」チャネルを選択中に、ユーザがインクリメントボタンを押下げると、図２３のチャネルマップにおいて、「７」チャネルの情報から次チャネルのアドレス「０ｘ４０」を読み出して、アドレス「０ｘ４０」に格納されているチャネル番号「８−１」を特定し、「８−１」チャネルへ選択を移動する。また、チャネル切替部１３は、「８−１」チャネルを選択中に、ユーザがデクリメントボタンを押下げると、図２３のチャネルマップにおいて、「８−１」チャネルの情報から前チャネルのアドレス「０ｘ２０」を読み出して、アドレス「０ｘ２０」に格納されているチャネル番号「７」を特定し、「７」チャネルへ選択を移動する。【００９６】
図２５は、図２３のチャネルマップが用いられる場合の電子番組表を表わす図である。
図２５を参照して、番組表表示部１５は、電子番組表の第１列目に、図２３のチャネルマップにおいて先頭チャネルフラグＳが付けられた選択順序が１番目の「２」チャネルの番組を配置する。番組表表示部１５は、図２３のチャネルマップにおいて「２」チャネルの情報から次チャネルのアドレス「０ｘ１０」を読出して、アドレス「０ｘ１０」に格納されているチャネル番号「５」を特定し、電子番組表の第２列目に選択順序が２番目の「５」チャネルの番組を配置する。以下、同様にして、その他の列にも、その列に対応する選択順序のチャネルの番組のタイトルが配置される。【００９７】
図２５のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【００９８】
以上のように、第５の実施形態の放送受信装置によれば、デジタル放送のチャネルの番組と同一番組を放送するアナログ放送のチャネルがある場合に、そのアナログ放送のチャネルが選択されず、デジタル放送も代表チャネルのみ選択されるので、同一の番組が何度も選局されるのを防止することができる。【００９９】
［第５の実施形態の変形例］
第１の実施形態の変形例と同様に、第５の実施形態でも、チャネルマップを変更することに代えて、ワーキングのチャネルマップを作成して、チャネル選択の切替時にこれを用いるものとしてもよい。【０１００】
図２６は、図２３のチャネルマップと同様のチャネル選択順序を規定するワーキングのチャネルマップの例を表わす図である。【０１０１】
図２６を参照して、アドレスが小さい位置に、選択順序がはやいチャネルの情報が格納される。図２６のワーキングのチャネルマップでは、図２４に示すような選択順序の順番にチャネルの情報が格納される。【０１０２】
［第６の実施形態］
第６の実施形態では、チャネル順序設定部１２は、チャネルマップ内に、デジタル放送のチャネルとアナログ放送のチャネルとが混在する場合には、はじめにアナログ放送のチャネルのみを順次選択した後に、デジタル放送のチャネルのみを順次選択するようにチャネルマップを書き換える。【０１０３】
（チャネル順序設定後のチャネルマップ、選択順序、および電子番組表の具体例）
図２７は、デジタル放送とアナログ放送とが両方受信できる場合の、変更後のチャネルマップの例を表わす図である。【０１０４】
図２８は、図２７のチャネルマップが用いられる場合の、ユーザによるインクリメント／デクリメントボタンの押下によってチャネルの選択が移動する順序を表わす図である。【０１０５】
チャネル順序設定部１２は、チャネルマップを図２７のように書き換える。すなわち、チャネル順序設定部１２は、「８」チャネルの選択時に、インクリメントボタンが選択されると、デジタル放送の「８−１」チャネルではなくアナログ放送の「９」チャネルに移動するように、「８」チャネルの次チャネルのアドレスを「９」チャネルのアドレス「０ｘ７０」に設定する。また、チャネル順序設定部１２は、「９」チャネルの選択時に、デクリメントボタンが選択されると、「８−３」チャネルではなく「８」チャネルに移動するように、「９」チャネルの前チャネルのアドレスを「８」チャネルのアドレス「０ｘ３０」に設定する。【０１０６】
また、チャネル順序設定部１２は、「９」チャネルの選択時に、インクリメントボタンが選択されると、「１８−１」チャネルではなく「８−１」チャネルに移動するように、「９」チャネルの次チャネルのアドレスを「８−１」チャネルのアドレス「０ｘ４０」に設定する。また、チャネル順序設定部１２は、「８−１」チャネルの選択時に、デクリメントボタンが選択されると、「８」チャネルではなく「９」チャネルに移動するように、「８−１」チャネルの前チャネルのアドレスを「９」チャネルのアドレス「０ｘ７０」に設定する。【０１０７】
また、チャネル順序設定部１２は、「８−３」チャネルの選択時に、インクリメントボタンが選択されると、「９」チャネルではなく「１８−１」チャネルに移動するように、「８−３」チャネルの次チャネルのアドレスを「１８−１」チャネルのアドレス「０ｘ８０」に設定する。また、チャネル順序設定部１２は、「１８−１」チャネルの選択時に、デクリメントボタンが選択されると、「９」チャネルではなく「８−３」チャネルに移動するように、「１８−１」チャネルの前チャネルのアドレスを「８−３」チャネルのアドレス「０ｘ６０」に設定する。【０１０８】
チャネル切替部１３は、図２７の更新されたチャネルマップに従い、図２８のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。たとえば、チャネル切替部１３は、「８」チャネルを選択中に、ユーザがインクリメントボタンを押下げると、図２７のチャネルマップにおいて、「８」チャネルの情報から次チャネルのアドレス「０ｘ７０」を読み出して、アドレス「０ｘ７０」に格納されているチャネル番号「９」を特定し、「９」チャネルへ選択を移動する。また、チャネル切替部１３は、「９」チャネルを選択中に、ユーザがデクリメントボタンを押下げると、図２７のチャネルマップにおいて、「９」チャネルの情報から前チャネルのアドレス「０ｘ３０」を読み出して、アドレス「０ｘ３０」に格納されているチャネル番号「８」を特定し、「８」チャネルへ選択を移動する。【０１０９】
図２９は、図２７のチャネルマップが用いられる場合の電子番組表を表わす図である。
図２９を参照して、番組表表示部１５は、電子番組表の第１列目に、図２７のチャネルマップにおいて先頭チャネルフラグＳが付けられた選択順序が１番目の「２」チャネルの番組を配置する。番組表表示部１５は、図２７のチャネルマップにおいて「２」チャネルの情報から次チャネルのアドレス「０ｘ１０」を読出して、アドレス「０ｘ１０」に格納されているチャネル番号「５」を特定し、電子番組表の第２列目に選択順序が２番目の「５」チャネルの番組を配置する。以下、同様にして、その他の列にも、その列に対応する選択順序のチャネルの番組のタイトルが配置される。【０１１０】
図２９のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【０１１１】
以上のように、第６実施の形態の放送受信装置によれば、アナログ放送のみ順次選局した後、デジタル放送を選局するので、デジタルからアナログ、アナログからデジタルへのチャネル変更時の各種の設定値を変更するための設定時間を少なくし、ユーザの選局時の待ち時間を少なくできる。【０１１２】
［第６の実施形態の変形例］
第１の実施形態の変形例と同様に、第６の実施形態でも、チャネルマップを変更することに代えて、ワーキングのチャネルマップを作成して、チャネル選択の切替時にこれを用いるものとしてもよい。【０１１３】
図３０は、図２７のチャネルマップと同様のチャネル選択順序を規定するワーキングのチャネルマップの例を表わす図である。【０１１４】
図３０を参照して、アドレスが小さい位置に、選択順序がはやいチャネルの情報が格納される。図３０のワーキングのチャネルマップでは、図２８に示すような選択順序の順番にチャネルの情報が格納される。【０１１５】
［第７の実施形態］
第７の実施形態では、チャネル順序設定部１２は、チャネルマップ内に、デジタル放送のチャネルとアナログ放送のチャネルとが混在する場合には、はじめにデジタル放送のチャネルのみを順次選択した後に、アナログ放送のチャネルのみを順次選択するようにチャネルマップを書き換える。【０１１６】
（チャネル順序設定後のチャネルマップ、選択順序、および電子番組表の具体例）
図３１は、デジタル放送とアナログ放送とが両方受信できる場合の、変更後のチャネルマップの別の例を表わす図である。【０１１７】
図３２は、図３１のチャネルマップが用いられる場合の、ユーザによるインクリメント／デクリメントボタンの押下によってチャネルの選択が移動する順序を表わす図である。【０１１８】
チャネル順序設定部１２は、チャネルマップを図３１のように書き換える。すなわち、チャネル順序設定部１２は、デジタル放送のチャネルを先に選択できるようにするため、デジタル放送のチャネルである「８−１」チャネルに対して、先頭チャネルのフラグＳを設定する。【０１１９】
また、チャネル順序設定部１２は、「８−３」チャネルの選択時に、インクリメントボタンが選択されると、「９」チャネルではなく「１８−１」チャネルに移動するように、「８−３」チャネルの次チャネルのアドレスを「１８−１」チャネルのアドレス「０ｘ８０」に設定する。また、チャネル順序設定部１２は、「１８−１」チャネルの選択時に、デクリメントボタンが選択されると、「９」チャネルではなく「８−３」チャネルに移動するように、「１８−１」チャネルの前チャネルのアドレスを「８−３」チャネルのアドレス「０ｘ６０」に設定する。【０１２０】
チャネル順序設定部１２は、「８」チャネルの選択時に、インクリメントボタンが選択されると、「８−１」チャネルではなく「９」チャネルに移動するように、「８」チャネルの次チャネルのアドレスを「９」チャネルのアドレス「０ｘ７０」に設定する。また、チャネル順序設定部１２は、「９」チャネルの選択時に、デクリメントボタンが選択されると、「８−３」チャネルではなく「８」チャネルに移動するように、「９」チャネルの前チャネルのアドレスを「８」チャネルのアドレス「０ｘ３０」に設定する。【０１２１】
また、チャネル順序設定部１２は、「９」チャネルの選択時に、インクリメントボタンが選択されると、「１８−１」チャネルではなく「８−１」チャネルに移動するように、「９」チャネルの次チャネルのアドレスを「８−１」チャネルのアドレス「０ｘ４０」に設定する。また、チャネル順序設定部１２は、「８−１」チャネルの選択時に、デクリメントボタンが選択されると、「８」チャネルではなく「９」チャネルに移動するように、「８−１」チャネルの前チャネルのアドレスを「９」チャネルのアドレス「０ｘ７０」に設定する。【０１２２】
チャネル切替部１３は、図３１の更新されたチャネルマップに従い、図３２のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。【０１２３】
たとえば、チャネル切替部１３は、「８−３」チャネルを選択中に、ユーザがインクリメントボタンを押下げると、図３１のチャネルマップにおいて、「８−３」チャネルの情報から次チャネルのアドレス「０ｘ８０」を読み出して、アドレス「０ｘ８０」に格納されているチャネル番号「１８−１」を特定し、「１８−１」チャネルへ選択を移動する。また、チャネル切替部１３は、「１８−１」チャネルを選択中に、ユーザがデクリメントボタンを押下げると、図３１のチャネルマップにおいて、「１８−１」チャネルの情報から前チャネルのアドレス「０ｘ６０」を読み出して、アドレス「０ｘ６０」に格納されているチャネル番号「８−３」を特定し、「８−３」チャネルへ選択を移動する。【０１２４】
図３３は、図３１のチャネルマップが用いられる場合の電子番組表を表わす図である。
図３３を参照して、番組表表示部１５は、電子番組表の第１列目に、図３１のチャネルマップにおいて先頭チャネルフラグＳが付けられた選択順序が１番目の「８−１」チャネルの番組を配置する。番組表表示部１５は、図３１のチャネルマップにおいて「８−１」チャネルの情報から次チャネルのアドレス「０ｘ５０」を読出して、アドレス「０ｘ５０」に格納されているチャネル番号「８−２」を特定し、電子番組表の第２列目に選択順序が２番目の「８−２」チャネルの番組を配置する。以下、同様にして、その他の列にも、その列に対応する選択順序のチャネルの番組のタイトルが配置される。【０１２５】
図３３のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【０１２６】
以上のように、第７実施の形態の放送受信装置によれば、デジタル放送のみ順次選局した後、アナログ放送を選局するので、デジタルからアナログ、アナログからデジタルへのチャネル変更時の各種の設定値を変更するための設定時間を少なくし、ユーザの選局時の待ち時間を少なくできる。【０１２７】
［第７の実施形態の変形例］
第１の実施形態の変形例と同様に、第７の実施形態でも、チャネルマップを変更することに代えて、ワーキングのチャネルマップを作成して、チャネル選択の切替時にこれを用いるものとしてもよい。【０１２８】
図３４は、図３１のチャネルマップと同様のチャネル選択順序を規定するワーキングのチャネルマップの例を表わす図である。【０１２９】
図３４を参照して、アドレスが小さい位置に、選択順序がはやいチャネルの情報が格納される。図３４のワーキングのチャネルマップでは、図３２に示すような選択順序の順番にチャネルの情報が格納される。【０１３０】
［第８の実施形態］
第８の実施形態では、チャネル順序設定部１２は、チャネルマップ内に複数個のサブチャネルを有するデジタル放送のチャネルが存在する場合には、そのチャネルについては、１個のサブチャネルのみへの選択を可能にするようにチャネルマップを書き換える。選択するサブチャネルとしては、一例として代表チャネル（番号が最も小さいチャネル）とする。【０１３１】
（チャネル順序設定後のチャネルマップ、選択順序、および電子番組表の具体例）
図３５は、複数のサブチャネルを有するデジタル放送が受信できる場合の、変更後のチャネルマップの例を表わす図である。【０１３２】
図３６は、図３５のチャネルマップが用いられる場合の、ユーザによるインクリメント／デクリメントボタンの押下によってチャネルの選択が移動する順序を表わす図である。【０１３３】
チャネル順序設定部１２は、チャネルマップを図３５のように書き換える。すなわち、１つのチャネル内に３個のサブチャネル「８−１」、「８−２」、「８−３」が存在するので、チャネル順序設定部１２は、「８−１」チャネルの選択時に、インクリメントボタンが選択されると、「８−２」、「８−３」チャネルをとばして「９」チャネルに移動するように、「８−１」チャネルの次チャネルのアドレスを「９」チャネルのアドレス「０ｘ７０」に設定する。また、チャネル順序設定部１２は、「９」チャネルの選択時に、デクリメントボタンが選択されると「８−３」、「８−２」チャネルをとばして「８−１」チャネルに移動するように、「９」チャネルの前チャネルのアドレスを「８−１」チャネルのアドレス「０ｘ４０」に設定する。【０１３４】
また、１つのチャネル内に３個のサブチャネル「１８−１」、「１８−２」、「１８−３」が存在するので、チャネル順序設定部１２は、「１８−１」チャネルの選択時に、インクリメントボタンが選択されると、「１８−２」、「１８−３」チャネルをとばして「２６−１」チャネルに移動するように、「１８−１」チャネルの次チャネルのアドレスを「２６−１」チャネルのアドレス「０ｘＢ０」に設定する。また、チャネル順序設定部１２は、「２６−１」チャネルの選択時に、デクリメントボタンが選択されると「１８−３」、「１８−２」チャネルをとばして「１８−１」チャネルに移動するように、「２６−１」チャネルの前チャネルのアドレスを「１８−１」チャネルのアドレス「０ｘ８０」に設定する。【０１３５】
また、１つのチャネル内に３個のサブチャネル「２６−１」、「２６−２」、「２６−３」が存在するので、チャネル順序設定部１２は、「２６−１」チャネルの選択時に、インクリメントボタンが選択されると、「２６−２」、「２６−３」チャネルをとばして「２」チャネルに移動するように、「２６−１」チャネルの次チャネルのアドレスを「２」チャネルのアドレス「０ｘ００」に設定する。また、チャネル順序設定部１２は、「２」チャネルの選択時に、デクリメントボタンが選択されると「２６−３」、「２６−２」チャネルをとばして「２６−１」チャネルに移動するように、「２」チャネルの前チャネルのアドレスを「２６−１」チャネルのアドレス「０ｘＡ０」に設定する。【０１３６】
チャネル切替部１３は、図３５の更新されたチャネルマップに従い、図３６のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。【０１３７】
たとえば、チャネル切替部１３は、「８−１」チャネルを選択中に、ユーザがインクリメントボタンを押下げると、図３５のチャネルマップにおいて、「８−１」チャネルの情報から次チャネルのアドレス「０ｘ７０」を読み出して、アドレス「０ｘ７０」に格納されているチャネル番号「９」を特定し、「９」チャネルへ選択を移動する。また、チャネル切替部１３は、「９」チャネルを選択中に、ユーザがデクリメントボタンを押下げると、図３５のチャネルマップにおいて、「９チャネルの情報から前チャネルのアドレス「０ｘ４０」を読み出して、アドレス「０ｘ４０」に格納されているチャネル番号「８−１」を特定し、「８−１」チャネルへ選択を移動する。【０１３８】
図３７は、図３５のチャネルマップが用いられる場合の電子番組表を表わす図である。
図３７を参照して、番組表表示部１５は、電子番組表の第１列目に、図３５のチャネルマップにおいて先頭チャネルフラグＳが付けられた選択順序が１番目の「２」チャネルの番組を配置する。番組表表示部１５は、図３５のチャネルマップにおいて「２」チャネルの情報から次チャネルのアドレス「０ｘ１０」を読出して、アドレス「０ｘ１０」に格納されているチャネル番号「５」を特定し、電子番組表の第２列目に選択順序が２番目の「５」チャネルの番組を配置する。以下、同様にして、その他の列にも、その列に対応する選択順序のチャネルの番組のタイトルが配置される。【０１３９】
図３７のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【０１４０】
以上のように、第８の実施形態の放送受信装置によれば、複数個のサブチャネルを有するチャネルは、１つのサブチャネルのみしか選局できないようにするので、同一の番組が何度も選局されるのを防止することができる。【０１４１】
［第８の実施形態の変形例］
第１の実施形態の変形例と同様に、第８の実施形態でも、チャネルマップを変更することに代えて、ワーキングのチャネルマップを作成して、チャネル選択の切替時にこれを用いるものとしてもよい。【０１４２】
図３８は、図３５のチャネルマップと同様のチャネル選択順序を規定するワーキングのチャネルマップの例を表わす図である。【０１４３】
図３８を参照して、アドレスが小さい位置に、選択順序がはやいチャネルの情報が格納される。図３８のワーキングのチャネルマップでは、図３６に示すような選択順序の順番にチャネルの情報が格納される。【０１４４】
［第９の実施形態］
図３９は、第９の実施形態の放送受信装置の構成を表わす図である。【０１４５】
図３９を参照して、この放送受信装置２００が図１の放送受信装置１００と相違する点は、カウンタ１１６が追加されている点と、チャネル順序設定部１１２の機能である。【０１４６】
カウンタ１１６は、チャネルマップ内のチャネルごとの視聴回数を記憶する。カウンタ１１６は、インクリメント／デクリメントボタンよるチャネルの選択後、またはチャネル番号を選択することによるチャネルの選択後、所定時間（たとえば、３分間）内に別のチャネルの選択操作が行なわれないときに、選択したチャネルを視聴したものとみなし、選択したチャネルの視聴回数をインクリメントする。【０１４７】
チャネル順序設定部１１２は、チャネルマップ内のチャネルについて、カウンタ１１６に記憶されている視聴回数が高いチャネルから順次選択されるように、チャネルマップのチャネルの選択順序を変更する。【０１４８】
（チャネル順序設定後のチャネルマップ、選択順序、および電子番組表の具体例）
図４０は、カウンタに記憶されるカウント値の例を表わす図である。【０１４９】
図４０を参照して、カウンタ１１６は、チャネルごとの視聴回数を記憶する。たとえば、「２」チャネルの視聴回数は「１１２」回であり、「５」チャネルの視聴回数は「３５９」回である。【０１５０】
図４１は、図４０のカウント値の場合の、変更後のチャネルマップの例を表わす図である。図４２は、図４１のチャネルマップが用いられる場合の、ユーザによるインクリメント／デクリメントボタンの押下によってチャネルの選択が移動する順序を表わす図である。【０１５１】
チャネル順序設定部１１２は、図４０のカウント値が高い順に、チャネルが選択されるようにチャネルマップを更新する。すなわち、チャネル順序設定部１１２は、「８−１」チャネルのカウント値が最大であるので、「８−１」チャネルに対して、先頭チャネルフラグＳを設定する。チャネル順序設定部１１２は、次に「５」チャネルのカウント値が高いので、「８−１」チャネルの次アドレスを「５」チャネルのアドレス「０ｘ１０」に設定する。また、チャネル順序設定部１１２は、「５」チャネルの前アドレスを「８−１」チャネルのアドレス「０ｘ４０」に設定する。チャネル順序設定部１１２は、次に「８」チャネルのカウント値が高いので、「５」チャネルの次アドレスを「８」チャネルのアドレス「０ｘ３０」に設定する。また、チャネル順序設定部１１２は、「８」チャネルの前アドレスを「５」チャネルのアドレス「０ｘ１０」に設定する。チャネル順序設定部１１２は、次順位以降のカウント値のチャネルについても、上記と同様にして次チャネルのアドレス、前チャネルのアドレスを設定する。【０１５２】
チャネル切替部１３は、図４１の更新されたチャネルマップに従い、図４２のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。【０１５３】
たとえば、チャネル切替部１３は、「８−１」チャネルを選択中に、ユーザがインクリメントボタンを押下げると、図４１のチャネルマップにおいて、「８−１」チャネルの情報から次チャネルのアドレス「０ｘ１０」を読み出して、アドレス「０ｘ１０」に格納されているチャネル番号「５」を特定し、「５」チャネルへ選択を移動する。また、チャネル切替部１３は、「５」チャネルを選択中に、ユーザがデクリメントボタンを押下げると、図４１のチャネルマップにおいて、「５」チャネルの情報から前チャネルのアドレス「０ｘ４０」を読み出して、アドレス「０ｘ４０」に格納されているチャネル番号「８−１」を特定し、「８−１」チャネルへ選択を移動する。【０１５４】
図４３は、図４１のチャネルマップが用いられる場合の電子番組表を表わす図である。
図４３を参照して、番組表表示部１５は、電子番組表の第１列目に、図４１のチャネルマップにおいて先頭チャネルフラグＳが付けられた選択順序が１番目の「８−１」チャネルの番組を配置する。番組表表示部１５は、図４１のチャネルマップにおいて「８−１」チャネルの情報から次チャネルのアドレス「０ｘ１０」を読出して、アドレス「０ｘ１０」に格納されているチャネル番号「５」を特定し、電子番組表の第２列目に選択順序が２番目の「５」チャネルの番組を配置する。以下、同様にして、その他の列にも、その列に対応する選択順序のチャネルの番組のタイトルが配置される。【０１５５】
図４３のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【０１５６】
以上のように、第９の実施形態の放送受信装置によれば、過去の選局回数が多いチャネルほど選局順序をはやくするので、ユーザの好みに応じた順序で選局を行なうことができる。【０１５７】
［第９の実施形態の変形例１］
第１の実施形態の変形例と同様に、第９の実施形態でも、チャネルマップを変更することに代えて、ワーキングのチャネルマップを作成して、チャネル選択の切替時にこれを用いるものとしてもよい。【０１５８】
図４４は、図４１のチャネルマップと同様のチャネル選択順序を規定するワーキングのチャネルマップの例を表わす図である。【０１５９】
図４４を参照して、アドレスが小さい位置に、選択順序がはやいチャネルの情報が格納される。図４４のワーキングのチャネルマップでは、図４２に示すような選択順序の順番にチャネルの情報が格納される。【０１６０】
［第１０の実施形態］
図４５は、第１０の実施形態の放送受信装置の構成を表わす図である。【０１６１】
図４５を参照して、この放送受信装置３００が図１の放送受信装置１００と相違する点は、カウンタ２１６が追加されている点と、チャネル順序設定部２１２の機能である。【０１６２】
カウンタ２１６は、チャネルマップ内のチャネルごとに、別のチャネルへの視聴変更回数を記憶する。カウンタ２１６は、インクリメント／デクリメントボタンよるチャネルの選択後、またはチャネル番号を選択することによるチャネルの選択後、所定時間（たとえば、３分間）内に別のチャネルの選択操作が行なわれないときに、選択したチャネルを視聴チャネルとみなす。カウンタ２１６は、第１のチャネルを視聴チャネルとみなした後、次に第２のチャネルを視聴チャネルとみなした場合に、第１のチャネルにおける、第２のチャネルへの視聴変更回数をインクリメントする。【０１６３】
チャネル順序設定部２１２は、チャネルマップ内の各チャネルの視聴中において、カウンタ２１６に記憶されているそのチャネルにおける視聴変更回数が高いチャネルから順次選択されるように、チャネルマップ内のチャネルの選択順序を変更する。【０１６４】
（チャネル順序設定後のチャネルマップ、選択順序、および電子番組表の具体例）
図４６（ａ）は、カウンタに記憶されている「２」チャネルにおける別のチャネルへの視聴変更回数の例を表わす図である。図４６（ｂ）は、「５」チャネルにおける別のチャネルへの視聴変更回数の例を表わす図である。【０１６５】
図４７は、図４６（ａ）および図４６（ｂ）のカウント値の場合の、変更後のチャネルマップの例を表わす図である。【０１６６】
図４８（ａ）は、図４７のチャネルマップが用いられる場合の、現在の視聴チャネルが「２」チャネルのときに、ユーザによるインクリメント／デクリメントボタンの押下によってチャネルの選択が移動する順序を表わす図である。図４８（ｂ）は、図４７のチャネルマップが用いられる場合の、現在の視聴チャネルが「５」チャネルのときに、ユーザによるインクリメント／デクリメントボタンの押下によってチャネルの選択が移動する順序を表わす図である。【０１６７】
チャネル順序設定部２１２は、現在の視聴チャネルが「２」チャネルのときに、図４６（ａ）のカウント値が高い順に、チャネルの選択が移動するようにチャネルマップを更新する。すなわち、チャネル順序設定部２１２は、「８」チャネルのカウント値が最大であるので、「２」チャネルの次アドレスを「８」チャネルのアドレス「０ｘ３０」に設定する。また、チャネル順序設定部２１２は、「８」チャネルの前アドレスを「２」チャネルのアドレス「０ｘ００」に設定する。チャネル順序設定部２１２は、次に「２６−１」チャネルのカウント値が高いので、「８」チャネルの次アドレスを「２６−１」チャネルのアドレス「０ｘＢ０」に設定する。また、チャネル順序設定部２１２は、「２６−１」チャネルの前アドレスを「８」チャネルのアドレス「０ｘ３０」に設定する。チャネル順序設定部２１２は、次順位以降のカウント値のチャネルについても、上記と同様にして次チャネルのアドレス、前チャネルのアドレスを設定する。【０１６８】
また、チャネル順序設定部２１２は、現在の視聴チャネルが「５」チャネルのときに、図４６（ｂ）のカウント値が高い順に、チャネルの選択が移動するようにチャネルマップを更新する。すなわち、チャネル順序設定部２１２は、「１８−２」チャネルのカウント値が最大であるので、「５」チャネルの次アドレスを「１８−２」チャネルのアドレス「０ｘ９０」に設定する。また、チャネル順序設定部２１２は、「１８−２」チャネルの前アドレスを「５」チャネルのアドレス「０ｘ１０」に設定する。チャネル順序設定部２１２は、次に「２６−１」チャネルのカウント値が高いので、「１８−２」チャネルの次アドレスを「２６−１」チャネルのアドレス「０ｘＢ０」に設定する。また、チャネル順序設定部２１２は、「２６−１」チャネルの前アドレスを「１８−２」チャネルのアドレス「０ｘ９０」に設定する。チャネル順序設定部２１２は、次順位以降のカウント値のチャネルについても、上記と同様にして次チャネルのアドレス、前チャネルのアドレスを設定する。【０１６９】
また、チャネル順序設定部２１２は、現在の視聴チャネルが「２」および「５」チャネル以外のときにも同様にして、次チャネルのアドレス、前チャネルのアドレスを設定する。【０１７０】
チャネル切替部１３は、図４７の更新されたチャネルマップに従い、現在の視聴チャネルが「２」チャネルのときに、図４８（ａ）のような順序でチャネルの選択を移動させ、現在の視聴チャネルが「５」チャネルのときに、図４８（ｂ）のような順序でチャネルの選択を移動させる。すなわち、チャネル切替部１３は、ユーザがインクリメントボタンを押下げると、実線方向にチャネルの選択を移動させ、ユーザがデクリメントボタンを押下げると、点線方向にチャネルの選択を移動させる。ただし、チャネルの選択の移動後、所定時間（たとえば、３分間）内に別のチャネルの選択操作が行なわれないときに、選択中のチャネルを現在の視聴チャネルとみなす。【０１７１】
たとえば、チャネル切替部１３は、現在の視聴チャネルが「２」チャネルの場合に、「８−１」チャネルを選択中に、ユーザがインクリメントボタンを押下げると、図４７のチャネルマップにおいて、「８−１」チャネルの情報から次チャネルのアドレス「０ｘ６０」を読み出して、アドレス「０ｘ６０」に格納されているチャネル番号「８−３」を特定し、「８−３」チャネルへ選択を移動する。その後、所定時間（たとえば、３分間）内にユーザがインクリメントボタンまたはデクリメントボタンを押下げると、同様にして、チャネルの選択が移動する。一方、所定時間（たとえば、３分間）内にユーザがインクリメントボタンおよびデクリメントボタンのいずれも押下げないと、今度は「８−３」チャネルが現在の視聴チャネルとなる。【０１７２】
また、チャネル切替部１３は、現在の視聴チャネルが「５」チャネルの場合に、「８−１」チャネルを選択中に、ユーザがデクリメントボタンを押下げると、図４７のチャネルマップにおいて、「８−１」チャネルの情報から前チャネルのアドレス「０ｘＢ０」を読み出して、アドレス「０ｘＢ０」に格納されているチャネル番号「２６−１」を特定し、「２６−１」チャネルへ選択を移動する。その後、所定時間（たとえば、３分間）内にユーザがインクリメントボタンまたはデクリメントボタンを押下げると、同様にして、チャネルの選択が移動する。一方、所定時間（たとえば、３分間）内にユーザがインクリメントボタンまたはデクリメントボタンを押下げないと、今度は「２６−１」チャネルが現在の視聴チャネルとなる。【０１７３】
また、チャネル切替部１３は、現在の視聴チャネルが「２」および「５」チャネル以外のときにも同様にして、チャネルの選択の移動を行なう。【０１７４】
図４９（ａ）は、図４７のチャネルマップが用いられる場合の、現在の視聴チャネルが「２」チャネルのときの電子番組表を表わす図である。【０１７５】
図４９（ａ）を参照して、番組表表示部１５は、電子番組表の第１列目に、現在視聴中の「２」チャネルの番組を配置する。番組表表示部１５は、図４７のチャネルマップにおいて、現在の視聴チャネルが２チャネルの欄の中の「２」チャネルの情報から次チャネルのアドレス「０ｘ３０」を読出して、アドレス「０ｘ３０」に格納されているチャネル番号「８」を特定し、電子番組表の第２列目に「８」チャネルの番組を配置する。以下、同様にして、各チャネルの番組のタイトルが配置される。以下、同様にして、その他の列にも、その列に対応する選択順序のチャネルの番組のタイトルが配置される。【０１７６】
図４９（ｂ）は、図４７のチャネルマップが用いられる場合の、現在の視聴チャネルが「５」チャネルのときの電子番組表を表わす図である。【０１７７】
図４９（ｂ）を参照して、番組表表示部１５は、電子番組表の第１列目に、現在視聴中の「５」チャネルの番組を配置する。番組表表示部１５は、図４７のチャネルマップにおいて、現在の視聴チャネルが５チャネルの欄の中の「５」チャネルの情報から次チャネルのアドレス「０ｘ９０」を読出して、アドレス「０ｘ９０」に格納されているチャネル番号「１８−２」を特定し、電子番組表の第２列目に「１８−２」チャネルの番組を配置する。以下、同様にして、その他の列にも、その列に対応する選択順序のチャネルの番組のタイトルが配置される。【０１７８】
番組表表示部１５は、現在の視聴チャネルが「２」および「５」チャネル以外のときにも同様にして、電子番組表の表示を行なう。【０１７９】
また、図４９（ａ）および（ｂ）のように、チャネルマップ内のすべてのチャネルについての電子番組表を表示してもよいが、一部のチャネルのみの電子番組表を表示するものとしてもよい。たとえば、チャネルマップ内で選択順序が連続する４個のチャネルのみの電子番組表を表示するものとしてもよい。そして、ユーザが右／左ボタンを操作することによって、電子番組表のチャネルを変化させ、ユーザが上／下ボタンを操作することによって電子番組表の時間帯を変化させることとしてもよい。【０１８０】
以上のように、第１０の実施形態の放送受信装置によれば、あるチャネルＡを視聴後に別の視聴した回数が多いチャネルほど、そのチャネルＡからの選局順序をはやくするので、ユーザの選局の傾向を反映した順序で選局を行なうことができる。【０１８１】
［第１０の実施形態の変形例］
第１の実施形態の変形例と同様に、第１０の実施形態でも、チャネルマップを変更することに代えて、ワーキングのチャネルマップを作成して、チャネル選択の切替時にこれを用いるものとしてもよい。【０１８２】
図５０（ａ）および（ｂ）は、図４７のチャネルマップと同様のチャネル選択順序を規定するワーキングのチャネルマップの例を表わす図である。【０１８３】
図５０（ａ）および（ｂ）を参照して、アドレスが小さい位置に、選択順序がはやいチャネルの情報が格納される。図５０（ａ）および（ｂ）のワーキングのチャネルマップでは、図４８（ａ）および（ｂ）に示すような選択順序の順番にチャネルの情報が格納される。【０１８４】
［第１１の実施形態］
第１１の実施形態では、チャネル切替部１３は、チューナ２２に選択したチャネルの放送データを受信させるとともに、チャネルマップを参照して、選択したチャネルの次の順序のチャネルまたは直前の順序のチャネルのチャネル番号を読み出す。【０１８５】
図５１は、表示されるチャネル番号の例を表わす図である。
図５１を参照して、チャネル切替部１３は、選択したチャネルのチャネル番号（＝５ｃｈ）と、次の順序のチャネルのチャネル番号（＝８ｃｈ）と、直前の順序のチャネル番号（＝２ｃｈ）とをテレビジョン２６に表示する。【０１８６】
以上のように、第１１の実施形態の放送受信装置によれば、次に選択可能なチャネルの番号が表示されるので、ユーザは前もって次に選局されるチャネルを知ることができる。【０１８７】
［第１１の実施形態の変形例］
第１１の実施形態で、選択したチャネルのチャネル番号（＝５ｃｈ）と、次の順序のチャネルのチャネル番号（＝８ｃｈ）と、直前の順序のチャネル番号（＝２ｃｈ）とをテレビジョン２６に表示したが、これに限定するものではない。たとえば、選択したチャネルのチャネル番号（＝５ｃｈ）と次の順序のチャネルのチャネル番号（＝８ｃｈ）とを表示するものであっても、選択したチャネルのチャネル番号（＝５ｃｈ）と直前の順序のチャネル番号（＝２ｃｈ）とを表示するものであっても、次の順序のチャネルのチャネル番号（＝８ｃｈ）のみを表示するものであっても、直前の順序のチャネル番号（＝２ｃｈ）のみを表示するものであってもよい。【０１８８】
［第１２の実施形態］
第１２の実施形態では、チャネル切替部１３は、チャネルマップにしたがってチャネルを選択し、図５２に示すように、選択したチャネルの番号を表示させるが、チューナ２２に選択したチャネルの放送データを受信させないようにする。チャネル切替部１３は、チャネルの選択の後、所定時間内（たとえば、１０秒間）にユーザから別のチャネルの選択操作がないときに、ユーザが選択中のチャネルを視聴する意思があるとみなし、チューナ２２に選択したチャネルの放送データを受信させる。【０１８９】
以上のように、第１２の実施形態の放送受信装置によれば、視聴したいチャネルだけを選局するので、チューナ２２に無駄な選局をさせるのを防止することができる。【０１９０】
［第１２の実施形態の変形例］
第１２の実施形態では、まず、選択したチャネルの番号を表示し、所定時間内に別のチャネルの選択操作がないときに、チューナ２２に選択したチャネルの放送データを受信させたが、これに限定するものではない。【０１９１】
たとえば、チャネル切替部１３は、ユーザから選局を伴わないチャネルの順送りまたは逆送り操作（つまり、インクリメント／デクリメントボタンの通常の押下げ操作）があると、チャネルマップにしたがってチャネルを選択し、図５２に示すように、選択したチャネルの番号を表示させるが、チューナ２２に選択したチャネルの放送データを受信させないようにする。一方、チャネル切替部１３は、ユーザから選局を伴うチャネルの順送りまたは逆送り操作（つまり、インクリメント／デクリメントボタンの長い押下げ操作（長押し））があると、チャネルマップにしたがってチャネルを選択し、チューナ２２に選択したチャネルの放送データを受信させるものとしてもよい。【０１９２】
（その他の変形例）
本発明のその他の変形例として以下のものがある。【０１９３】
（１）  電子番組表
本発明の実施形態では、電子番組表の列が変化する方向にチャネルが選択順序の順に配置され、行が変化する方向に時刻が配置される場合について説明したが、これに限定するものではない。電子番組表の行が変化する方向にチャネルが選択順序の順に配置され、列が変化する方向に時刻が配置されるものとしてもよい。【０１９４】
（２）  カウンタ値に基づくチャネル順序設定
本発明の第９および第１０の実施形態では、チャネル順序設定部は、チャネルマップ内のチャネルについて、カウンタに記憶されている視聴回数が高いチャネルから順次選択されるように、チャネルマップのチャネルの選択順序を変更したが、これに限定されるものではない。たとえば、チャネル順序設定部は、視聴回数が所定値以下のチャネルの選択を無効にするようにチャネルマップを変更するものとしてもよい。【０１９５】
（３）  カウンタ
本発明の第９および第１０の実施形態において、家庭内で複数のユーザが１つの放送受信装置を利用することを考慮して、ユーザ別にカウンタを設けるものとしてもよい。この場合、放送受信装置の電源をオンにしたときにユーザにユーザ名を入力させることが必要となる。また、時間帯に応じて家庭内のどのユーザが視聴するかが決まっているような場合には、時間帯別にカウンタを設けるものとしてもよい。【０１９６】
（４）  カウンタのリセット
本発明の第９および第１０の実施形態において、カウンタのカウンタ値（視聴回数）は一定期間（たとえば、１年）ごとに０にリセットするものとしてもよい。あるいは、カウンタは、４半期ごとの視聴回数を１年分記憶し、チャネル順序を設定する際には、４半期ごとの視聴回数を１年分合計した値を用いるものとしてもよい。この場合、４半期ごとに最も古い４半期の視聴回数を０にリセットし、新たな４半期の視聴回数をカウントするものとしてもよい。【０１９７】
（５）  カウンタの更に別の変形
本発明の第９、および第１０の実施形態において、カウンタを定期的な時間帯別、たとえば、各曜日の２時間ごとに設けてもよい。これにより、各曜日の時間帯ごとに最も視聴される可能性が高いチャネルから選択できる可能性を高めることが可能である。【０１９８】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１９９】
本発明は、放送受信装置、特に、家庭内の番組選択機能を有するテレビ受信機に有効である。
【図１】
2008090610.tif 000003
【図２】
2008090610.tif 000004
【図３】
2008090610.tif 000005
【図４】
2008090610.tif 000006
【図５】
2008090610.tif 000007
【図６】
2008090610.tif 000008
【図７】
2008090610.tif 000009
【図８】
2008090610.tif 000010
【図９】
2008090610.tif 000011
【図１０】
2008090610.tif 000012
【図１１】
2008090610.tif 000013
【図１２】
2008090610.tif 000014
【図１３】
2008090610.tif 000015
【図１４】
2008090610.tif 000016
【図１５】
2008090610.tif 000017
【図１６】
2008090610.tif 000018
【図１７】
2008090610.tif 000019
【図１８】
2008090610.tif 000020
【図１９】
2008090610.tif 000021
【図２０】
2008090610.tif 000022
【図２１】
2008090610.tif 000023
【図２２】
2008090610.tif 000024
【図２３】
2008090610.tif 000025
【図２４】
2008090610.tif 000026
【図２５】
2008090610.tif 000027
【図２６】
2008090610.tif 000028
【図２７】
2008090610.tif 000029
【図２８】
2008090610.tif 000030
【図２９】
2008090610.tif 000031
【図３０】
2008090610.tif 000032
【図３１】
2008090610.tif 000033
【図３２】
2008090610.tif 000034
【図３３】
2008090610.tif 000035
【図３４】
2008090610.tif 000036
【図３５】
2008090610.tif 000037
【図３６】
2008090610.tif 000038
【図３７】
2008090610.tif 000039
【図３８】
2008090610.tif 000040
【図３９】
2008090610.tif 000041
【図４０】
2008090610.tif 000042
【図４１】
2008090610.tif 000043
【図４２】
2008090610.tif 000044
【図４３】
2008090610.tif 000045
【図４４】
2008090610.tif 000046
【図４５】
2008090610.tif 000047
【図４６】
2008090610.tif 000048
【図４７】
2008090610.tif 000049
【図４８】
2008090610.tif 000050
【図４９】
2008090610.tif 000051
【図５０】
2008090610.tif 000052
【図５１】
2008090610.tif 000053
【図５２】
2008090610.tif 000054
【国際調査報告】
2008090610.tif 000055
2008090610.tif 000056
2008090610.tif 000057
2008090610.tif 000058